(57)【要約】【課題】外装保護材の電線への取り付けの作業性を効果的に改善できる外装保護材取付治具を提供する。【解決手段】外装保護材取付治具１は、本体部１０が、２つの辺１２、１３及び１つの縁部１４を周縁とする略三角形板状の一対の側壁部分１１、１１を有しており、それぞれの他方の辺１３、１３が全体にわたって互いに接し又は離れるように弾性変形可能に形成されている。そして、一対の側壁部分１１、１１のそれぞれの縁部１４、１４が、当該縁部１４における他方の辺１３に近い辺部分１６と当該他方の辺１３とがなす角が、当該縁部１４における他方の辺１３から遠い辺部分１５と当該他方の辺１３とがなす角より小さくなるように形成されている。【選択図】図１
2016039695.tif 000002
【特許請求の範囲】
【請求項１】
互いに交わる２つの辺及び当該２つの辺を結ぶ１つの縁部を周縁に含む板状の一対の側壁部分と、前記一対の側壁部分のそれぞれの前記２つの辺のうちの一方の辺が幅方向の両縁のそれぞれに連なる帯板状の底壁部分とを一体に有し、前記一対の側壁部分のそれぞれの他方の辺が互いに近づくように曲げられるとともにこれら他方の辺が互いに接し又は離れるように弾性変形可能に形成された本体部と、
前記一対の側壁部分のそれぞれの前記他方の辺に互いに離れるように突出して連なる一対のガイド部と、を備え、
前記一対の側壁部分のそれぞれの前記縁部が、当該縁部における前記他方の辺に近い部分と当該他方の辺とがなす角が、当該縁部における前記他方の辺から遠い部分と当該他方の辺とがなす角より小さくなるように形成されていることを特徴とする外装保護材取付治具。
【請求項２】
前記一対の側壁部分のそれぞれの前記縁部が、前記２つの辺の交点側に凸の曲線状に形成されていることを特徴とする請求項１に記載の外装保護材取付治具。
【請求項３】
前記一対のガイド部のそれぞれが、前記他方の辺に沿って延在し、少なくとも前記縁部寄りの端部が長手方向中央部から離れるにしたがって徐々に幅が狭くなるように形成されていることを特徴とする請求項１又は２に記載の外装保護材取付治具。
【発明の詳細な説明】
【技術分野】
【０００１】
本発明は、電線にコルゲートチューブなどの外装保護材を取り付けるために用いられる外装保護材取付治具に関する。
【背景技術】
【０００２】
車両には、各種電子機器が搭載されており、これら電子機器には、電源の供給や制御信号等の送受信のための電線を有するワイヤハーネスが接続されている。このようなワイヤハーネスは、電線に取り付けられたコルゲートチューブなどの外装保護材を有している。
【０００３】
例えば、図１７（ａ）に示すように、外装保護材Ｂは、長手方向全体にわたって切れ目Ｋが設けられており、当該切れ目Ｋを開いて内側に電線を収容することで当該電線に取り付けられる。このような外装保護材Ｂへの電線の取り付けに用いられる治具が、例えば、特許文献１に開示されている。
【０００４】
図１６（ａ）、（ｂ）に示すように、特許文献１に開示されている取付治具（図中、符号８０１で示す）は、１枚の板材をＵ字状に曲げた形状を有しており、Ｕ字状に曲げられた底部８１１と、底部８１１の幅方向両縁に連接された直角三角形状の一対の側部８１２と、一対の側部８１２のそれぞれの斜辺８１２ａに連接された一対のフランジ部８１３と、を有している。取付治具８０１は、斜辺８１２ａの一方の端部側（図中左側）から電線Ｗを延出させるとともに当該電線Ｗを底部８１１にあてがうようにして内側に挟む。そして、外装保護材Ｂの一端部Ｂ１に、斜辺８１２ａの他方の端部を先頭にして取付治具８０１を押し当てて、取付治具８０１に外装保護材Ｂの長手方向に向けて力を加える。これにより、取付治具８０１が切れ目Ｋを開きながら外装保護材Ｂの他端部に向かってスライド移動されて、電線Ｗが外装保護材Ｂ内に収容される。
【先行技術文献】
【特許文献】
【０００５】
【特許文献１】特開平７−２４５８４０号公報
【発明の概要】
【発明が解決しようとする課題】
【０００６】
外装保護材Ｂは、例えば、屈曲されたときに切れ目Ｋが開いて内側の電線が露出してしまうおそれがあり、このような電線の露出を抑制するために、図１７（ｂ）に示すように、周方向の端部が重なるように形成されたラップ形状の外装保護材Ｃがある。しかしながら、このような外装保護材Ｃでは、その一端部に上記取付治具８０１を押し当てただけでは切れ目（即ち周方向両端部の間）が開かず、当該切れ目を手などで開いたりする必要があり、作業性の改善が求められていた。
【０００７】
本発明は、かかる問題を解決することを目的としている。即ち、本発明は、外装保護材の電線への取り付けの作業性を効果的に改善できる外装保護材取付治具を提供することを目的としている。
【課題を解決するための手段】
【０００８】
請求項１に記載された発明は、上記目的を達成するために、互いに交わる２つの辺及び当該２つの辺を結ぶ１つの縁部を周縁に含む板状の一対の側壁部分と、前記一対の側壁部分のそれぞれの前記２つの辺のうちの一方の辺が幅方向の両縁のそれぞれに連なる帯板状の底壁部分とを一体に有し、前記一対の側壁部分のそれぞれの他方の辺が互いに近づくように曲げられるとともにこれら他方の辺が互いに接し又は離れるように弾性変形可能に形成された本体部と、前記一対の側壁部分のそれぞれの前記他方の辺に互いに離れるように突出して連なる一対のガイド部と、を備え、前記一対の側壁部分のそれぞれの前記縁部が、当該縁部における前記他方の辺に近い部分と当該他方の辺とがなす角が、当該縁部における前記他方の辺から遠い部分と当該他方の辺とがなす角より小さくなるように形成されていることを特徴とする外装保護材取付治具である。
【０００９】
請求項２に記載された発明は、請求項１に記載された発明において、前記一対の側壁部分のそれぞれの前記縁部が、前記２つの辺の交点側に凸の曲線状に形成されていることを特徴とするものである。
【００１０】
請求項３に記載された発明は、請求項１又は２に記載された発明において、前記一対のガイド部のそれぞれが、前記他方の辺に沿って延在し、少なくとも前記縁部寄りの端部が長手方向中央部から離れるにしたがって徐々に幅が狭くなるように形成されていることを特徴とするものである。
【発明の効果】
【００１１】
請求項１に記載された発明によれば、本体部が、互いに交わる２つの辺及び当該２つの辺を結ぶ１つの縁部を周縁に含む板状の一対の側壁部分と、これら一対の側壁部分のそれぞれの２つの辺のうちの一方の辺が幅方向の両縁のそれぞれに連なる帯板状の底壁部分とを一体に有しており、一対の側壁部分のそれぞれの他方の辺が互いに近づくように曲げられるとともにこれら他方の辺が互いに接し又は離れるように弾性変形可能に形成されている。そして、一対の側壁部分のそれぞれの縁部が、当該縁部における他方の辺に近い部分と当該他方の辺とがなす角が、当該縁部における他方の辺から遠い部分と当該他方の辺とがなす角より小さくなるように形成されている。このようにしたことから、一対の側壁部分のそれぞれにおける他方の辺と縁部とによる頂点の角をより小さくすることができるので、当該頂点近傍の角部分を外装保護材の一端部に深く挿入することができる。そのため、一対の側壁部分が離れるように本体部を開くことで、外装保護材が拡径されて切れ目を開くことができる。また、本体部が外装保護材の切れ目に挿入されて当該外装保護材の長手方向にスライド移動される際に、当該本体部の縁部が当該外装保護材の周方向端部に当たる角度をより小さくすることができ、当該スライド移動をより小さい力で行うことができる。したがって、外装保護材の電線への取り付けの作業性を効果的に改善できる。
【００１２】
請求項２に記載された発明によれば、一対の側壁部分のそれぞれの縁部が、２つの辺の交点側に凸の曲線状に形成されている。このようにしたことから、例えば、縁部が２つの辺部分が連接されてなる構成では、当該辺部分の連接箇所に形成される角に外装保護材が引っ掛かるおそれがあるが、縁部を曲線状にすることで上記角がなくなり外装保護材の引っ掛かりを抑制することができる。したがって、外装保護材の電線への取り付けの作業性をより効果的に改善できる。
【００１３】
請求項３に記載された発明によれば、一対のガイド部のそれぞれが、一対の側壁部分のそれぞれの他方の辺に沿って延在するとともに、少なくともこれらガイド部における側壁部分の上記縁部寄りの端部が長手方向中央部から離れるにしたがって徐々に幅が狭くなるように形成されている。このようにしたことから、外装保護材の一端部への挿入をスムースにすることができる。したがって、外装保護材の電線への取り付けの作業性をより効果的に改善できる。
【図面の簡単な説明】
【００１４】
【図１】本発明の一実施形態に係る外装保護材取付治具の斜視図である。
【図２】図１の外装保護材取付治具を展開した図である。
【図３】図１の外装保護材取付治具の本体部の側壁部分の形状を示す図である。
【図４】電線への外装保護材の取り付け方法を説明する斜視図である（治具内に電線を配置した状態）。
【図５】電線への外装保護材の取り付け方法を説明する斜視図である（治具に電線を挟んだ状態）。
【図６】電線への外装保護材の取り付け方法を説明する斜視図である（治具の角部分を外装保護材の一端部に挿入した状態）。
【図７】電線への外装保護材の取り付け方法を説明する斜視図である（治具の本体部を広げた状態）。
【図８】電線への外装保護材の取り付け方法を説明する斜視図である（治具を外装保護材の長手方向に沿って進めている状態）。
【図９】電線への外装保護材の取り付け方法を説明する斜視図である（治具を外装保護材の長手方向に沿ってさらに進めている状態）。
【図１０】電線への外装保護材の取り付け方法を説明する斜視図である（治具を外装保護材の他端部から抜き出した状態）。
【図１１】図１の外装保護材取付治具の外装保護材内での様子を説明する図である。
【図１２】図１の外装保護材取付治具の変形例の構成を示す斜視図である。
【図１３】図１２の外装保護材取付治具を展開した図である。
【図１４】図１２の外装保護材取付治具の本体部の側壁部分の形状を示す図である。
【図１５】図１の外層保護材取付治具のガイド部の構成を説明する断面図である。
【図１６】従来の外装保護材取付治具の構成を説明する図である。
【図１７】外装保護材の斜視図である。
【発明を実施するための形態】
【００１５】
以下、本発明の一実施形態の外装保護材取付治具の構成について、図１〜図３を参照して説明する。
【００１６】
図１は、本発明の一実施形態に係る外装保護材取付治具の斜視図である。図２は、図１の外装保護材取付治具を展開した図である。図３は、図１の外装保護材取付治具の本体部の側壁部分の形状を示す図である。
【００１７】
本実施形態の外装保護材取付治具（各図において、符号１で示す）は、主に、チューブ状に形成され、長手方向全体にわたって切れ目が設けられるとともに周方向の端部が重なるように形成されたコルゲートチューブなどの外装保護材Ｃ（図１７（ｂ）に示す）を電線に取り付けるために用いられる。
【００１８】
図１、図２に示すように、外装保護材取付治具１（以下、単に「治具１」という）は、１枚の弾性変形可能な合成樹脂製の板材により形成されており、本体部１０と、一対のガイド部２０と、を一体に有している。
【００１９】
本体部１０は、一対の側壁部分１１、１１と、底壁部分１７と、を一体に有している。
【００２０】
図３に示すように、これら一対の側壁部分１１、１１のそれぞれは、同一の略三角形板状に形成されており、その周縁は、一方の端において互いに交わる一対の辺１２、１３と、一対の辺１２、１３のそれぞれの他方の端を結ぶ縁部１４とを有している。
【００２１】
一対の側壁部分１１、１１のそれぞれの一方の辺１２、１２は、後述する底壁部分１７の幅方向の両縁にそれぞれが連接されている。本体部１０は、底壁部分１７がその幅方向の断面形状がＵ字状になるように曲げられている。または、当該断面形状がＶ字状になるように折り曲げられていてもよい。これにより、一対の側壁部分１１、１１のそれぞれの他方の辺１３、１３が互いに近づけられている。また、本体部１０は、他方の辺１３、１３が概ね全体にわたって互いに接し又は離れるように弾性変形可能とされている。換言すると、本体部１０は、一対の側壁部分１１、１１の間を広げるように開き、又は、当該間を狭めるように閉じることができる。本実施形態において、本体部１０は、外部から力を加えない状態において、図１に示すように、他方の辺１３、１３の間隔が概ね電線が挿入可能な程度の大きさとなるように形成されている。
【００２２】
一対の側壁部分１１、１１のそれぞれの縁部１４は、２つの辺部分１５、１６を有している。一方の辺部分１５は、一方の辺１２寄りに配置されている。他方の辺部分１６は、他方の辺１３寄りに配置されている。これら辺部分１５、１６は、縁部１４全体として一対の辺１２、１３の交点側に凸となるように、それぞれの一端が角度をなして互いに連接されている。そのため、図３に示すように、他方の辺部分１６と他方の辺１３とがなす角αが、一方の辺部分１５と他方の辺１３とがなす角βより小さくなる（α＜β）ように形成されている。これにより、他方の辺部分１６と他方の辺１３とによる角部分１１ａは、細長く伸びるくさび形状に形成されている。
【００２３】
底壁部分１７は、略帯板形状で、その全長が側壁部分１１の一方の辺１２と概ね同じ長さとなるように形成されている。底壁部分１７における幅方向の両縁のそれぞれには、一対の側壁部分１１、１１の一方の辺１２が連なっている。
【００２４】
一対のガイド部２０、２０は、略帯板状に形成されており、一対の側壁部分１１、１１のそれぞれの他方の辺１３の全体にわたって延在して連接されている。一対のガイド部２０、２０は、互いに離れる方向に突出するように設けられている。本実施形態では、一対のガイド部２０、２０は、各側壁部分１１、１１に対して概ね直角になるように突出している（図１５（ａ））。一対のガイド部２０、２０のそれぞれの長手方向両端部は、当該長手方向の中央部から離れるにしたがって徐々に幅が狭くなるように形成されている。一対のガイド部２０、２０は、外装保護材Ｃ内に挿入されると、当該外層保護部材Ｃの周方向端部の内面に引っ掛かって、治具１から外層保護部材Ｃが脱落することを抑制する。
【００２５】
次に、上述した治具１を用いた電線Ｗへの外装保護材Ｃの取り付け方法について、図４〜図１１を参照して説明する。
【００２６】
図４〜図１０は、電線への外装保護材の取り付け方法を説明する斜視図であり、順に、治具内に電線を配置した状態、治具に電線を挟んだ状態、治具の角部分を外装保護材の一端部に挿入した状態、治具の本体部を広げた状態、治具を外装保護材の長手方向に沿って進めている状態、治具を外装保護材の長手方向に沿ってさらに進めている状態、及び、治具を外装保護材の他端部から抜き出した状態、を示している。図１１は、図１の外装保護材取付治具の外装保護材内での様子を説明する図である。図１１において、外装保護材Ｃは長手方向に沿う断面を示している。
【００２７】
まず、電線Ｗを治具１の本体部１０の底壁部分１７の内面にあてがって配置し（図４）、一対の側壁部分１１、１１のそれぞれの他方の辺１３が互いに接するように閉じて、一対の側壁部分１１、１１の間に電線Ｗを挟む（図５）。次に、治具１の一対の側壁部分１１、１１の角部分１１ａ、１１ａを外装保護材Ｃの一端部Ｃ１に挿入する（図６）。
【００２８】
そのあと、治具１の一対の側壁部分１１、１１を開く（図７）。すると角部分１１ａ、１１ａ近傍のガイド部２０、２０が外装保護材Ｃの一端部Ｃ１を内側から押し開き、外装保護材Ｃの切れ目Ｋが開く。そして、治具１を外装保護材Ｃの長手方向に押し進めると（図８）、一対の側壁部分１１、１１が外装保護材Ｃの切れ目Ｋに進入し、当該切れ目Ｋを広げながら外装保護材Ｃの他端部に向けて進む（図９）。このとき、図１１に示すように、外装保護材Ｃの周方向端部Ｃ２に対して一対の側壁部分１１、１１の縁部１４の辺部分１６が比較的小さい角度γで当たり、切れ目Ｋを広げながら進む。また、一対のガイド部２０、２０が、外層保護部材Ｃの周方向端部の内面に引っ掛かって、治具１から外層保護部材Ｃが脱落することを抑制する。外層保護材Ｃにおける治具１が通過した箇所は、内側に電線Ｗが挿通されるとともに、周方向端部が互いに重なって切れ目Ｋが閉じられている。そして、治具１が外層保護材Ｃの他端部Ｃ３から抜け出ると、外層保護材Ｃの全体に電線Ｗが挿通されて、電線Ｗへの外装保護材Ｃの取り付けが完了する（図１０）。
【００２９】
以上より、本実施形態によれば、本体部１０が、互いに交わる２つの辺１２、１３及び１つの縁部１４を周縁とする略三角形板状の一対の側壁部分１１、１１と、これら一対の側壁部分１１、１１のそれぞれの２つの辺１２、１３のうちの一方の辺１２、１２が幅方向の両縁のそれぞれに連なる帯板状の底壁部分１７とを一体に有し、一対の側壁部分１１、１１のそれぞれの他方の辺１３、１３が互いに近づくように曲げられるとともにこれら他方の辺１３、１３が互いに接し又は離れるように弾性変形可能に形成されている。そして、一対の側壁部分１１、１１のそれぞれの縁部１４、１４が、当該縁部１４における他方の辺１３に近い辺部分１６と当該他方の辺１３とがなす角αが、当該縁部１４における他方の辺１３から遠い辺部分１５と当該他方の辺１３とがなす角βより小さくなるように形成されている。このようにしたことから、一対の側壁部分１１、１１のそれぞれにおける他方の辺１３と縁部１４とによる頂点の角αをより小さくすることができるので、当該頂点近傍の角部分１１ａを外装保護材Ｃの一端部Ｃ１に深く挿入することができる。そのため、一対の側壁部分１１、１１が離れるように本体部１０を開くことで、外装保護材Ｃが拡径されて切れ目Ｋを開くことができる。また、本体部１０が外装保護材Ｃの切れ目Ｋに挿入されて当該外装保護材Ｃの長手方向にスライド移動される際に、当該本体部１０の縁部１４（具体的には辺部分１６）が当該外装保護材Ｃの周方向端部Ｃ２に当たる角度γをより小さくすることができ、当該スライド移動をより小さい力で行うことができる。したがって、外装保護材Ｃの電線Ｗへの取り付けの作業性を効果的に改善できる。
【００３０】
また、一対のガイド部２０、２０のそれぞれが、他方の辺１３、１３の全体にわたって延在して設けられ、それぞれの長手方向両端部が長手方向の中央部から離れるにしたがって徐々に幅が狭くなるように形成されている。このようにしたことから、外装保護材Ｃの一端部Ｃ１への挿入をスムースにするとともに、外装保護材Ｃからの抜去をスムースにすることができる。したがって、外装保護材Ｃの電線Ｗへの取り付けの作業性をより効果的に改善できる。
【００３１】
以上、本発明について、好ましい実施形態を挙げて説明したが、本発明の外装保護材取付治具は上記実施形態の構成に限定されるものではない。
【００３２】
上述した実施形態において、一対の側壁部分１１、１１のそれぞれの縁部１４は、２つの辺部分１５、１６より構成されていたが、これに限定されるものではない。例えば、図１２〜図１４に示すように、上記縁部１４に代えて２つの辺１２、１３の交点に向けて凸となる曲線状の縁部１４Ａを周縁に含む一対の側壁部分１１Ａ、１１Ａを有する本体部１０Ａを備えた構成の外装保護材取付治具１Ａとしてもよい。この治具１Ａは、上述した治具１と同様の作用効果に加えて、さらに別の作用効果を奏する。即ち、例えば、上述した実施形態のように縁部１４として２つの辺部分１５、１６が連接されてなる構成では、当該辺部分の連接箇所に外装保護材Ｃが引っ掛かるおそれがあるが、治具１Ａでは、縁部１４Ａを曲線状にすることで外装保護材Ｃの引っ掛かりを抑制することができる。したがって、外装保護材Ｃの電線Ｗへの取り付けの作業性をより効果的に改善できる。これ以外にも、外装保護材取付治具においては、縁部が３つ以上の複数の辺部分を連接して構成されていてもよく、一対の側壁部分のそれぞれの縁部が、当該縁部における他方の辺に近い部分と当該他方の辺とがなす角が、当該縁部の他方の辺から遠い部分と当該他方の辺とがなす角より小さくなるように形成されていれば、本発明の目的に反しない限り、縁部の形状は任意である。
【００３３】
また、上述した実施形態では、一対の側壁部分１１、１１のそれぞれの２つの辺１２、１３が実際に交わるように構成されていたが、これに限定されるものではなく、それぞれの延長線が交わるように構成されていてもよい。即ち、側壁部分１１の周縁において、２つの辺１２、１３における縁部１４側と反対側の端部を結ぶ他の辺を設け、これら２つの辺１２、１３がその延長線上で互いに交わる構成として、側壁部分を略三角形状以外の形状としてもよい。
【００３４】
また、上述した実施形態では、一対のガイド部２０、２０が、一対の側壁部分１１、１１の他方の辺１３、１３の全体にわたって延在されている構成であったが、これに限定されるものではない。他方の辺１３、１３の一部箇所、例えば、他方の辺１３における縁部１４寄りの端部近傍にのみ設けられた構成等であってもよい。
【００３５】
また、上述した実施形態では、一対のガイド部２０、２０のそれぞれの長手方向の両端部が、長手方向中央部から離れるにしたがって、徐々に幅が狭くなるように形成されている構成であったが、これに限定されるものではない。ガイド部２０は、側壁部分１１の他方の辺１３に沿って延在し、少なくとも側壁部分１１の縁部１４寄りの端部が長手方向中央部から離れるにしたがって徐々に幅が狭くなるように形成されていることが好ましい。
【００３６】
また、上述した実施形態では、一対のガイド部２０、２０が、帯板状に形成されている構成であったが、これに限定されるものではなく、例えば、図１５（ｂ）に示すように、断面略円形のガイド部２０Ａなどの帯板状以外の形状であってもよい。これ以外にも、例えば断面略円筒形（パイプ形状）などであってもよい。このようなガイド部２０Ａなどにおいても、ガイド部２０Ａが他方の辺１３の一部又は全体にわたって延在して設けられ、少なくともその縁部１４寄りの端部が長手方向中央部から離れるにしたがって徐々に幅（即ち、突出方向（図１５（ｂ）の左右方向）の大きさ）が狭くなるように形成されていることが好ましい。
【００３７】
以上、本発明について、好ましい実施形態を挙げて説明したが、本発明の外装保護材取付治具はこれらの実施形態の構成に限定されるものではない。上述した実施形態は本発明の代表的な形態を示したに過ぎず、当業者は、従来公知の知見に従い、本発明の骨子を逸脱しない範囲で種々変形して実施することができる。かかる変形によってもなお本発明の外装保護材取付治具の構成を具備する限り、勿論、本発明の範疇に含まれるものである。
【符号の説明】
【００３８】
１、１Ａ      外装保護材取付治具
１０、１０Ａ  本体部
１１、１１Ａ  側壁部分
１２          一方の辺
１３          他方の辺
１４、１４Ａ  縁部
１５          辺部分（縁部における他方の辺から遠い部分）
１６          辺部分（縁部における他方の辺に近い部分）
１７          底壁部分
２０          ガイド部
Ｃ            外装保護材
Ｗ            電線
【図１】
2016039695.tif 000003
【図２】
2016039695.tif 000004
【図３】
2016039695.tif 000005
【図４】
2016039695.tif 000006
【図５】
2016039695.tif 000007
【図６】
2016039695.tif 000008
【図７】
2016039695.tif 000009
【図８】
2016039695.tif 000010
【図９】
2016039695.tif 000011
【図１０】
2016039695.tif 000012
【図１１】
2016039695.tif 000013
【図１２】
2016039695.tif 000014
【図１３】
2016039695.tif 000015
【図１４】
2016039695.tif 000016
【図１５】
2016039695.tif 000017
【図１６】
2016039695.tif 000018
【図１７】
2016039695.tif 000019